(57)【要約】【課題】少なくとも１枚の交換可能な装飾パネルを組み込むことができ、表面に異なる装飾効果を形成することができる、良好な保護及び防音効果を備えたパネルカバーの提供。【解決手段】本考案のコンピュータ筐体パネルカバーは、コンピュータ筐体の正面に枢着され、底板、装飾パネル及び弾性嵌入部材を含み、そのうち、前記底板の片側辺縁部に枢着部が設けられ、コンピュータ筐体正面に対応して枢着され、且つ、前記底板平面上に複数の嵌合部が設置され、さらに前記装飾パネル平面上に複数の相対嵌合部が設けられ、前記装飾パネルを前記底板上に組み付けることができ、前記弾性嵌入部材は前述の底板の枢着部に相対する他方の側の辺縁部に設けられ、外殼、バネ及びボールから構成され、前記バネ及びボールは前記外殼内部に設置され、前記ボールの前記外殼から露出された部分がコンピュータ筐体の嵌合片に相対して嵌入される。【選択図】図2
0003124856.tif 000002
【実用新案登録請求の範囲】
【請求項１】
コンピュータ筐体の正面に枢着されるコンピュータ筐体パネルカバーであって、底板、装飾パネル及び弾性嵌入部材を含み、そのうち、前記底板の片側辺縁部に枢着部が設けられ、コンピュータ筐体正面に対応して枢着され、且つ、前記底板の平面上に複数の嵌合部が設置され、さらに前記装飾パネルはその平面上に複数の相対嵌合部が設けられ、前記底板上に組み付けることができ、前記弾性嵌入部材は前記底板の枢着部に相対する他方の側の辺縁部に設置され、外殼、バネ及びボールから構成され、前記バネ及びボールは前記外殼内部に設置され、前記ボールの前記外殼から露出された部分がコンピュータ筐体に設けた嵌合片に相対して嵌入される構成としたことを特徴とするコンピュータ筐体パネルカバー。
【請求項２】
前記底板の２つの辺縁部をそれぞれ折り曲げて間隔片を設け、且つ、前記間隔片の平面上に緩衝ゴム片を設置した構成としたことを特徴とする請求項１に記載のコンピュータ筐体パネルカバー。
【請求項３】
前記間隔片に複数の通気用の通風孔を開設した構成としたことを特徴とする請求項２に記載のコンピュータ筐体パネルカバー。
【請求項４】
前記底板の別の２つの辺縁部をそれぞれ折り返して封鎖板を設け、前記底板と装飾パネルを組み立てたとき辺縁部に形成される開口部を塞ぐことができる構成としたことを特徴とする請求項１に記載のコンピュータ筐体パネルカバー。
【請求項５】
前記装飾パネルの２つの辺縁部をそれぞれ折り曲げて折片を設けた構成としたことを特徴とする請求項１に記載のコンピュータ筐体パネルカバー。
【請求項６】
前記折片上に複数の通風孔を開設した構成としたことを特徴とする請求項１に記載のコンピュータ筐体パネルカバー。
【請求項７】
前記装飾パネルが複数の板体を組み合わせて成り、前記底板の大きさと形状に対応させた構成としたことを特徴とする請求項１に記載のコンピュータ筐体パネルカバー。  
【請求項８】
前記複数の板体が相互に異なる色とすることができる構成としたことを特徴とする請求項７に記載のコンピュータ筐体パネルカバー。
【請求項９】
前記装飾パネルの片側の折片上に固定具を設け、前記装飾パネルと前記底板を同時にコンピュータ筐体上に螺合し固定することができる構成としたことを特徴とする請求項１に記載のコンピュータ筐体パネルカバー。    
【請求項１０】
前記弾性嵌入部材の前記外殼の内部に中心突起を設け、前記バネがその上に設置されて位置決めされ、且つ、前記外殼の前記中心突起に相対する面上に円形孔を開設し、且つ、前記円形孔の円の直径が前記ボールの直径よりやや小さく、前記ボールを前記外殼内部に設置した後、前記ボールの一部が前記外殼表面外側に露出される構成としたことを特徴とする請求項１に記載のコンピュータ筐体パネルカバー。
【請求項１１】
前記嵌合片の中央に前記ボールに対応し、前記ボールの露出された部分が嵌入される円形孔を開設した構成としたことを特徴とする請求項１に記載のコンピュータ筐体パネルカバー。
【考案の詳細な説明】
【技術分野】
【０００１】
本考案はコンピュータ筐体パネルカバーに関し、コンピュータ筐体の正面に枢着し、パネル及びその他コンピュータ設備を保護し、特に優れた防音効果と、多様な変化の装飾効果を備えた、パネルカバーに関する。
【背景技術】
【０００２】
一般的なコンピュータ本体の正面には各種異なるデザインのパネルが設けられており、装飾効果を発揮するほか、多くのコンピュータ本体内部に接続された制御ボタンが設けられており、図１に示すように、従来のコンピュータ筐体パネルの構造は、コンピュータ筐体１０の前面にパネル１０１が設置され、このパネル１０１上に光ディスクドライブ、フロッピー（登録商標）ディスクドライブ、書き込み装置、ハードディスク取り付けベイまたはその他周辺設備のベイ１０１１及び複数の制御ボタン１０１２が設けられ、且つ、各ベイ１０１１には対応する遮蔽板１０１３が取り付けられている。従来のパネル１０１は通常デザインの上で線や斜面または色などの変化が施されているが、その変化範囲の大小に関わらず、パネル１０１上のコンピュータ周辺設備がすべてパネル１０１表面に露出され、保護効果を得ることは困難である。この問題を改善すべく、市場においては多くのパネル保護カバーを備えたコンピュータ筐体が出現しているが、これらパネル保護カバーのデザインには限りがあり、その保護効果も優れない。さらに、現在市場におけるほとんどのコンピュータ筐体のパネルはプラスチック製であり、フレームは多くが金属製であり、コンピュータ周辺設備の設置に用いる対応するベイまたはスロットは正面に開設されているため、コンピュータ本体内部の各種設備の運転音（ファンの運転音やハードディスクの運転音、光ディスクの運転音等）がすべて正面から伝わり、騒音が操作者に不快感を与え、プラスチック製のパネルだけではこれらの騒音を阻隔することは困難であり、かといって金属製のパネルカバーを加えるとデザイン上の美観が損なわれるため、改良が必要である。
【０００３】
本考案は従来のコンピュータ筐体のパネルにおける欠点に鑑みて、考案者のコンピュータ筐体設計における長年の経験に基づき研究を重ね、設計された斬新なコンピュータ筐体パネルカバーを提供するものであり、二層の金属板を重ね合わせ組み立てて成るため、良好な保護及び防音効果が得られ、且つ、その正面の装飾パネルは必要に応じて任意にさまざまな組み合わせに交換でき、異なる装飾効果を発揮することができる。
【考案の開示】
【考案が解決しようとする課題】
【０００４】
本考案の主な目的は、少なくとも１枚の交換可能な装飾パネルを組み込むことができ、表面に異なる装飾効果を形成することができる、良好な保護及び防音効果を備えたパネルカバーを提供することにある。  
【課題を解決するための手段】
【０００５】
上述の目的を達するため、本考案のコンピュータ筐体パネルカバーは、コンピュータ筐体の正面に枢着され、底板、装飾パネル及び弾性嵌入部材を含み、そのうち、前記底板の片側辺縁部に枢着部が設けられ、コンピュータ筐体正面に対応して枢着され、且つ、前記底板平面上に複数の嵌合部が設置され、さらに前記装飾パネル平面上に複数の相対嵌合部が設けられ、前記装飾パネルを前記底板上に組み付けることができ、前記弾性嵌入部材は前述の底板の枢着部に相対する他方の側の辺縁部に設けられ、外殼、バネ及びボールから構成され、前記バネ及びボールは前記外殼内部に設置され、前記ボールの前記外殼から露出された部分がコンピュータ筐体の嵌合片に相対して嵌入される。    
【考案を実施するための最良の形態】
【０００６】
以下、本考案の内容についてより理解を促すため、図面に基づき詳細に説明する。
【０００７】
図２、図３に本考案の立体分解図及び組み立て後の断面図をそれぞれ示す。本考案のコンピュータ筐体パネルカバーは、コンピュータ筐体２０正面の枢着片２０１に対応して枢着され、主に底板３０、装飾パネル４０、弾性嵌入部材５０を含んで成る。
【０００８】
そのうち、前記底板３０は金属鈑金を湾曲させて成り、片側の辺縁部に枢着部３０１を設け、前記コンピュータ筐体２０正面の枢着片２０１に対応して枢着される。前記底板３０の平面上には複数の嵌合部３０２を設け、前記嵌合部３０２は底板３０上に複数の固定孔３０２１を開設し、さらに固定ネジ３０２２を穿通したものとする。前記底板３０の２つの辺縁部をそれぞれ折り曲げて間隔片３０３を設け、前記間隔片３０３に複数の換気用の通風孔３０３１を開設し、底板３０の別の２つの辺縁部をそれぞれ折り返して封鎖板３０４を設け、前記底板１０と装飾パネル２０を組み立てたとき、辺縁部の開口を塞ぐことができ、さらに、前記間隔片３０３の平面上に緩衝ゴム片３０５を設け、開閉時にコンピュータ筐体２０にぶつかり発生する騒音を防ぐ。
【０００９】
前記装飾パネル４０は金属鈑金を折り曲げて成る板体４０１であり、且つ、その平面上に複数の相対嵌合部４０２を設け、前記相対嵌合部４０２はスタッド４０２１とし、前記装飾パネル４０を前記底板３０に組み付けるとき、前記装飾パネル４０のスタッド４０２１を前記底板３０の固定孔３０２１に穿入させ、さらに固定ネジ３０２２で鎖合して固定する。前記装飾パネル４０の２つの辺縁部を折り曲げて折片４０３を設け、前記折片４０３上に複数の通風孔４０３１を開設する。前記装飾パネル４０は複数の板体４０１を組み合わせ、前記底板３０の大きさと形状に対応させることもでき、且つ、前記板体４０１の色は同じでなくともよいものとする。このほか、前記装飾パネル４０の片側の前記折片４０３上に固定具４０４を設置し、前記装飾パネル４０を前記底板３０と共に前記コンピュータ筐体２０上に螺合して固定することができる。
【００１０】
図４に弾性嵌入部材５０の構造を示す立体分解図を示す。前記弾性嵌入部材５０は、前述の底板３０枢着部３０１に相対する他方の側の辺縁部に設置され、且つ、外殼５０１、バネ５０２及びボール５０３から構成される。前記バネ５０２及びボール５０３は前記外殼５０１内部に設置され、前記外殼５０１内部には中心突起５０１１が設けられ、前記バネ５０２をその上に設置し、位置決めするために用いられる。且つ、前記外殼５０１の前記中心突起５０１１に相対する面上に円形孔５０１２を開設し、且つ、前記円形孔５０１２の円の直径は前記ボール５０３の直径よりやや小さいものとし、前記ボール５０３を前記外殼５０１内部に設置すると、前記ボール５０３の一部が前記外殼５０１の表面に露出される。図６に本考案の弾性嵌入部材の使用時の断面図を示す。前記ボール５０３の外部に露出された部分が前記コンピュータ筐体２０の嵌合片２０２に相対して嵌入され、且つ、前記嵌合片２０２の中央には前記ボールに相対して対応する円形孔２０２１が開設されており、本考案をコンピュータ筐体２０の正面に組み付けた後、前記弾性嵌入部材５０を利用して一時的に前記コンピュータ筐体２０上に固定しておくという目的を達することができる。
【００１１】
図６に本考案をコンピュータ筐体に組み付けた状態を示す立体斜視図を示す。まず、前記底板３０と装飾パネル４０を組み立てると、その組み立て後の完成品は二層式のパネルカバーとなる。続いて、前記底板３０の枢着部３０１を前記コンピュータ筐体２０の枢着片２０１上に直接枢着すると、本考案は枢着部を支点として開閉可能となり、且つ、前記弾性嵌入部材５０を利用して前記コンピュータ筐体２０の嵌合片２０２上に一時的に固定することができ、使用者の使用時における利便性が向上される。
【００１２】
上述のように、本考案はその実施後二層式のパネルカバーを形成することができ、確実に優れた保護及び防音効果を備えたパネルカバーを提供するという目的を達することができる。且つ、本考案の装飾パネルは一枚または複数枚の板体を組み合わせて成すことができ、同じ底板上で異なる幾何形状や色のデザインの装飾効果を形成することができる。
【００１３】
以上で述べた説明は本考案の最良の実施例に基づくものであり、本考案の実施の範囲を制限するものではなく、関連技術を熟知した人物による本考案の要旨を逸脱しない範囲におけるあらゆる変化や修飾もすべて本考案の特許範囲内に含まれるものとみなす。
【００１４】
上述のように、本考案のコンピュータ筐体パネルカバーは、二層式の設計で優れた保護及び防音効果を備え、且つ、その正面の装飾パネルを一枚または複数枚の組み合わせで実施することができ、同じ底板の正面にさまざまな幾何形状や色のデザインによる装飾効果を形成することができ、出荷の必要に応じて任意に組み合わせることが可能であり、創作の実用性と進歩性を備えているため、出願人は特許法の規定に基づき、ここに実用新案登録を出願するものである。
【図面の簡単な説明】
【００１５】
【図１】従来のコンピュータ筐体パネルの立体斜視図である。
【図２】本考案の立体分解図である。
【図３】本考案の組み立て後の断面図である。
【図４】本考案の弾性嵌入部材の立体分解図である。
【図５】本考案の弾性嵌入部材と嵌合片の結合を示す断面図である。
【図６】本考案をコンピュータ筐体に取り付けた状態を示す立体斜視図である。
【符号の説明】
【００１６】
１０        コンピュータ筐体
１０１      パネル
１０１１    ベイ
１０１２    制御ボタン
１０１３    遮蔽板
２０        コンピュータ筐体
２０１      枢着片
２０２      嵌合片
２０２１    円形孔
３０        底板
３０１      枢着部
３０２      嵌合部
３０２１    固定孔
３０２２    固定ネジ
３０３      間隔片
３０３１    通風孔
３０４      封鎖板
３０５      緩衝ゴム片
４０        装飾パネル
４０１      板体
４０２      相対嵌合部
４０２１    スタッド
４０３      折片
４０３１    通風孔
４０４      固定具
５０        弾性嵌入部材
５０１      外殼
５０２      バネ
５０３      ボール
５０１１    中心突起
５０１２    円形孔
【図１】
0003124856.tif 000003
【図２】
0003124856.tif 000004
【図３】
0003124856.tif 000005
【図４】
0003124856.tif 000006
【図５】
0003124856.tif 000007
【図６】
0003124856.tif 000008